(57)【要約】【課題】開封時におけるフラップの切取開始に要する力を低減した包装箱を提供する。【解決手段】周壁１を形成する側面板１１，１２からフラップ２１，２２が延出され、側面板１１，１２とフラップ２１，２２の境界に沿って切取破断線４１が刻設され、開封に際し、フラップ２１，２２が切取破断線４１の破断に伴い切り取られる包装箱において、フラップ２１，２２の切取開始側となる部分には、その側端縁から間隔をあけた切取破断線４１の近傍の位置を起点として、斜めに延びる山折用の第１開封補助罫線４３と谷折用の第２開封補助罫線４４とが刻設され、第１開封補助罫線４３は、フラップ２１，２２の先端又は側端へ向かって、切取破断線４１に対する切取開始側の角度が鋭角又は直角をなし、第２開封補助罫線４４は、フラップ２１，２２の側端へ向かって、切取破断線４１に対する切取開始側の角度が第１開封補助罫線４３より小さい角度をなすものとする。【選択図】図６
2019189280.tif 000002
【特許請求の範囲】
【請求項１】
周壁(1)を形成する側面板(11,12)からフラップ(21,22)が延出され、前記側面板(11,12)と前記フラップ(21,22)の境界に沿って切取破断線(41)が刻設され、
前記フラップ(21,22)が前記側面板(11,12)から前記切取破断線(41)を軸に内側へ折り曲げられて封緘され、
開封に際しては、収納物の取出面を開口させるように、前記フラップ(21,22)が前記側面板(11,12)から外側へ折り曲げられ、前記切取破断線(41)の破断に伴い、前記フラップ(21,22)が切り取られるフラップ切取式包装箱において、
前記フラップ(21,22)の切取開始側となる部分には、その側端縁から間隔をあけた前記切取破断線(41)の近傍の位置を起点として斜めに延びる山折用の第１開封補助罫線(43)と谷折用の第２開封補助罫線(44)とが刻設され、
前記第１開封補助罫線(43)は、前記フラップ(21,22)の先端又は側端へ向かって、前記切取破断線(41)に対する切取開始側の角度が鋭角又は直角をなし、
前記第２開封補助罫線(44)は、前記フラップ(21,22)の側端へ向かって、前記切取破断線(41)に対する切取開始側の角度が前記第１開封補助罫線(43)より小さい角度をなすことを特徴とするフラップ切取式包装箱。
【請求項２】
請求項１に記載のフラップ切取式包装箱において、前記第１開封補助罫線(43)又はその延長線と、前記第２開封補助罫線(44)又はその延長線とが、前記切取破断線(41)上で交わることを特徴とするフラップ切取式包装箱。
【請求項３】
請求項１又は２に記載の段ボール製のフラップ切取式包装箱において、前記第１開封補助罫線(43)は、段ボールを裏面から押圧した押罫とされ、前記第２開封補助罫線(44)は、切目が断続するリード罫とされていることを特徴とするフラップ切取式包装箱。
【請求項４】
請求項１乃至３のいずれか１項に記載の段ボール製のフラップ切取式包装箱において、
前記切取破断線(41)は、多数の切目が断続するミシン目を入れたものとされ、前記フラップ(21,22)には、前記切取破断線(41)に近接して並行するように、段ボールの表面側を凹ませた逆罫線(42)が刻設されていることを特徴とするフラップ切取式包装箱。
【発明の詳細な説明】
【技術分野】
【０００１】
この発明は、開封に際して、開口部に臨むフラップを簡単に切り取れるようにした包装箱に関するものである。
【背景技術】
【０００２】
下記特許文献１には、図９に示すように、周壁５１を形成する側面板６１，６２の上端に、天壁５２を形成するフラップ６３，６４が連設された段ボール製の包装箱において、側面板６１の上端中間部に手掛部６５が切込により形成され、手掛部６５から側面板６１とフラップ６３の境界の両側端へ向かう破断線７１と、これに連続して側面板６２とフラップ６４の境界沿いに延びる破断線７２とが刻設されたものが記載されている。
【０００３】
この包装箱のフラップ６３，６４には、手掛部６５から両側の側面板６２の方向へ破断線７１に対して斜めに延びる山折補助罫線７３が刻設され、山折補助罫線７３は、切目が断続するリード罫とされている。
【０００４】
この包装箱を開封する際には、手掛部６５に手を掛けて天壁５２を引き上げつつ、手掛部６５の反対方向へ引っ張る。これに伴い、天壁５２が撓んで破断線７１が破断し、天壁５２の隅部が山折補助罫線７３に沿って山折りされ、破断線７２が破断するので、フラップ６３，６４を除去して、天面を開口させることができる。
【先行技術文献】
【特許文献】
【０００５】
【特許文献１】登録実用新案第３２００７１６号公報
【発明の概要】
【発明が解決しようとする課題】
【０００６】
しかしながら、上記のような包装箱では、例えば、材料が撓みにくい厚手の段ボールである場合、開封の初動時に、手掛部６５から天壁５２を引き上げて破断線７１を破断させる際、大きな力を要するという問題があった。
【０００７】
そこで、この発明は、開封時におけるフラップの切取開始に要する力を低減した包装箱を提供しようとするものである。
【課題を解決するための手段】
【０００８】
上記のような課題を解決するため、この発明は、周壁を形成する側面板からフラップが延出され、前記側面板と前記フラップの境界に沿って切取破断線が刻設され、
前記フラップが前記側面板から前記切取破断線を軸に内側へ折り曲げられて封緘され、
開封に際しては、収納物の取出面を開口させるように、前記フラップが前記側面板から外側へ折り曲げられ、前記切取破断線の破断に伴い、前記フラップが切り取られるフラップ切取式包装箱において、
前記フラップの切取開始側となる部分には、その側端縁から間隔をあけた前記切取破断線の近傍の位置を起点として斜めに延びる山折用の第１開封補助罫線と谷折用の第２開封補助罫線とが刻設され、
前記第１開封補助罫線は、前記フラップの先端又は側端へ向かって、前記切取破断線に対する切取開始側の角度が鋭角又は直角をなし、
前記第２開封補助罫線は、前記フラップの側端へ向かって、前記切取破断線に対する切取開始側の角度が前記第１開封補助罫線より小さい角度をなすものとしたのである。
【０００９】
また、この包装箱において、前記第１開封補助罫線又はその延長線と、前記第２開封補助罫線又はその延長線とが、前記切取破断線上で交わるものとしたのである。
【００１０】
また、段ボールを材料とする前記フラップ切取式包装箱において、前記第１開封補助罫線は、段ボールを裏面から押圧した押罫とし、前記第２開封補助罫線は、切目が断続するリード罫としたのである。
【００１１】
さらに、前記切取破断線は、多数の切目が断続するミシン目を入れたものとし、前記フラップには、前記切取破断線に近接して並行するように、段ボールの表面側を凹ませた逆罫線を刻設したのである。
【発明の効果】
【００１２】
この発明に係るフラップ切取式包装箱では、開封に際し、フラップを外側へ折り曲げて収納物の取出面を開口させた状態で、フラップの側端部を第１開封補助罫線に沿って山折りすると、フラップの側端部が第２開封補助罫線に沿って谷折りされ、切取破断線の切取開始部に開封応力が集中し、僅かな力で切取破断線の切取開始部が破断するので、これに続いて切取破断線を破断させ、フラップを簡単に切取ることができる。
【図面の簡単な説明】
【００１３】
【図１】この発明の実施形態に係るフラップ切取式包装箱のブランクを示す裏面図
【図２】同上のフラップの側端部を示す拡大図
【図３】同上の組立時における上方のフラップの折曲前の状態を示す斜視図
【図４】同上の商品挿入時にフラップを外側へ折り曲げた状態を示す斜視図
【図５】同上のフラップを内側へ折り曲げた封緘状態を示す斜視図
【図６】同上の開封に際してのフラップの切取過程を示す斜視図
【図７】同上のフラップ側端部の拡大斜視図
【図８】同上のフラップを切り取った開封状態を示す斜視図
【図９】特許文献１に記載の包装箱のフラップの切取過程を示す斜視図
【発明を実施するための形態】
【００１４】
以下、この発明の実施形態を添付図面に基づいて説明する。
【００１５】
この包装箱は、いわゆるＡ式（JIS Z 1507の02形式）と呼ばれる溝切形であり、図１に示す段ボールのブランクから組み立てられ、商品の輸送及び陳列等に使用される。ブランクの材料である段ボールは、表ライナと裏ライナの間に波状の中芯が挟まれた構造とされ、中芯の段目は、ブランクの縦方向へ向けられている。
【００１６】
この包装箱のブランクでは、周壁１を形成する各一対の長さ方向及び幅方向の側面板１１，１２が横方向に交互に連設され、一方の側面板１１の外側端には継代片１３が連設されている。各一対の側面板１１，１２には、天壁２を形成するフラップ２１，２２及び底壁３を形成するフラップ３１，３２がそれぞれ連設されている。
【００１７】
各一対の側面板１１，１２とそれぞれの上端から延びる一対のフラップ２１，２２の境界には、切取破断線４１が刻設され、切取破断線４１は、段ボールの裏面から押圧した押罫線に重ねて、多数の切目が断続するミシン目を入れたものとされている。
【００１８】
各一対のフラップ２１，２２には、それぞれ側面板１１，１２との境界をなす切取破断線４１に近接して並行するように、段ボールの表面側を凹ませた押罫から成る逆罫線４２が刻設されている。
【００１９】
各一対の側面板１１，１２とフラップ２１，２２のそれぞれの境界部分では、逆罫線４２を挟んで平行に延びるように、裏面側が凹んで段ボールの厚さが減少した溝状凹部が形成され、切取破断線４１は、この溝状凹部の範囲内に位置している。
【００２０】
フラップ２１，２２の切取開始側となる部分には、図２に示すように、その側端縁から間隔をあけた切取破断線４１の近傍の位置を起点として斜めに延びるように、山折用の第１開封補助罫線４３と谷折用の第２開封補助罫線４４とが刻設されている。
【００２１】
第１開封補助罫線４３は、段ボールを裏面から押圧した押罫とされ、フラップ２１，２２の先端へ向かって、切取破断線４１に対する切取開始側の角度αが鋭角をなし、具体的には、角度αは８０°とされている。なお、角度αは、９０°以下であればよい。
【００２２】
第２開封補助罫線４４は、切目が断続するリード罫とされ、フラップ２１，２２の側端へ向かって、切取破断線４１に対する切取開始側の角度βが第１開封補助罫線４３より小さい角度をなし、具体的には、角度βは４０°とされている。
【００２３】
第１開封補助罫線４３は、切取破断線４１に達していないが、第１開封補助罫線４３の延長線と、第２開封補助罫線４４とは、切取破断線４１上で交わっている。すなわち、第１開封補助罫線４３又はその延長線と、第２開封補助罫線４４又はその延長線とが、切取破断線４１の近傍で交わっていればよい。
【００２４】
また、第１開封補助罫線４３は、フラップ２１，２２の先端まで必ずしも達している必要はない。或いは、フラップ２１，２２の先端ではなく、側端の先端寄り部分へ向かうものであってもよい。さらに、第２開封補助罫線４４もまた、フラップ２１，２２の側端まで必ずしも達している必要はない。
【００２５】
上記のようなブランクは、製造に際し、側面板１１，１２の境界の間隔をあけた２本の罫線に沿って折り重ね、継代片１３を反対側の側面板１２の側端部に貼り着けることにより、偏平な折畳状態としておく。
【００２６】
そして、発送元での商品の収納に際しては、図３に示すように、各一対の側面板１１，１２を立体化して四角筒状の周壁１を形成し、下方のフラップ３２とフラップ３１とを重ね合わせ、フラップ３１の先端同士を突き合わせて、テープＴ等で固定することにより、底面を閉止する底壁３を形成する。
【００２７】
次に、挿入しようとする商品と、直立した上方のフラップ２１，２２の先端との干渉を避けるため、図４に示すように、フラップ２１，２２を外側へ折り曲げた状態で、箱内に商品を収納する。
【００２８】
このとき、段ボールは、中芯が押し潰された側へ折れ曲がりやすいという特性に従い、表面側が押し潰された逆罫線４２に沿って折れ曲がるので、切取破断線４１の切目間の繋部が破断してしまうことがない。
【００２９】
その後、図５に示すように、各一対のフラップ２１，２２を順次内側へ折り曲げて重ね合わせ、フラップ２１の先端同士を突き合わせて、テープＴ等で固定することにより、天面を閉止する天壁２を形成すると、封緘された状態となる。
【００３０】
このフラップ２１，２２の内側への折り曲げに際して、段ボールは、表面側が押し潰された逆罫線４２ではなく、ミシン目状に切目が断続し、溝状凹部により内側への折曲抵抗が弱められた切取破断線４１に沿って容易に折れ曲がる。
【００３１】
上記のように封緘した包装箱を商品の陳列のため開封する際には、フラップ２１，２２のテープ等による固定を解除し、図６に示すように、フラップ２１，２２を側面板１１，１２から外側へ折り曲げて天面を開口させた状態で、切取破断線４１を破断させることにより、フラップ２１，２２を切り取る。
【００３２】
このとき、図７に示すように、フラップ２１，２２（フラップ２１について図示）の側端部を第１開封補助罫線４３に沿って山折りすると、フラップ２１，２２の側端部が第２開封補助罫線４４に沿って谷折りされ、切取破断線４１の切取開始部４１ａに開封応力が集中し、僅かな力で切取破断線４１の切取開始部４１ａが破断するので、これに続いて切取破断線４１を破断させ、フラップ２１，２２を簡単に切取ることができる。
【００３３】
そして、切取破断線４１が全長にわたって破断した後、フラップ２１，２２を除去すると、図８に示すように、天面が全体的に開口するので、商品を箱内に収納したままの状態で陳列することができ、小売店での開封や陳列作業の省力化を図ることができる。
【００３４】
ここで、発明の効果確認のため、フラップ２１，２２の切取開始時に要する引張力を、第１開封補助罫線４３と第２開封補助罫線４４のない既存仕様と、上記のように第１開封補助罫線４３と第２開封補助罫線４４を刻設した検討仕様のサンプルＮ１〜Ｎ１０について、プルゲージを使用して測定する引張テストを行ったところ、下記表１に示すような結果となった。
【００３５】
【表１】
2019189280.tif 000003
【００３６】
このように全てのサンプルについて、２０％〜３０％程度引張力が軽減され、フラップ２１，２２を切り取りやすくなることが確認された。
【００３７】
なお、上記実施形態では、切取破断線４１に近接して並行するように逆罫線４２を刻設したものを例示したが、商品の挿入時にフラップ２１，２２の先端と商品が干渉する恐れがない場合には、逆罫線４２を省略してもよい。
【００３８】
また、段ボール製の包装箱について例示したが、板紙製の包装箱においても、罫線の押圧方向を表裏逆として、上記と同様の構成を適用することができる。
【００３９】
また、いわゆるＡ式の溝切型の包装箱について例示したが、商品を周壁で締め付けるように包み込み、両端の開口面をフラップで閉じるラップラウンド式の包装箱や、突合フラップ付きのトレイ状包装箱においても、上記と同様の構成を適用することができる。
【符号の説明】
【００４０】
１  周壁
２  天壁
３  底壁
１１，１２  側面板
１３  継代片
２１，２２  フラップ
３１，３２  フラップ
４１  切取破断線
４１ａ  切取開始部
４２  逆罫線
４３  第１開封補助罫線
４４  第２開封補助罫線
Ｔ  テープ
α  第１開封補助罫線の切取破断線に対する角度
β  第２開封補助罫線の切取破断線に対する角度
【図１】
2019189280.tif 000004
【図２】
2019189280.tif 000005
【図３】
2019189280.tif 000006
【図４】
2019189280.tif 000007
【図５】
2019189280.tif 000008
【図６】
2019189280.tif 000009
【図７】
2019189280.tif 000010
【図８】
2019189280.tif 000011
【図９】
2019189280.tif 000012